【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
所定のデバイスが接続可能な電子機器であって、
電源スイッチの操作により前記電子機器の電力状態を第１のオフ状態又は第２のオフ状態に移行する移行手段と、
前記第１のオフ状態からの起動時には前記所定のデバイスから前記所定のデバイスの情報を取得する取得処理を少なくとも含む起動処理を行い、前記第２のオフ状態からの起動時には少なくとも前記取得処理を省略した起動処理を行う、起動手段と、
前記所定のデバイスが非接続であることを示す情報を記憶する記憶手段と、
を備え、
前記移行手段は、前記記憶手段に前記情報が記憶されている場合、前記電源スイッチの操作により前記電子機器の電力状態を前記第１のオフ状態に移行する、
ことを特徴とする電子機器。
【請求項２】
前記所定のデバイスが接続されているか否かを判定する判定手段をさらに備え、
前記記憶手段は、前記判定手段が前記所定のデバイスが接続されていないと判定した場合、前記情報を記憶する、
ことを特徴とする請求項１に記載の電子機器。
【請求項３】
前記判定手段は、前記第１のオフ状態からの起動時に、前記所定のデバイスが接続されているか否かを判定する、ことを特徴とする請求項２に記載の電子機器。
【請求項４】
前記判定手段は、定期的に、前記所定のデバイスが接続されているか否かを判定する、ことを特徴とする請求項２又は３に記載の電子機器。
【請求項５】
前記判定手段は、前記所定のデバイスの接続状態の変化があったときに、前記所定のデバイスが接続されているか否かを判定する、ことを特徴とする請求項２乃至４の何れか１項に記載の電子機器。
【請求項６】
前記所定のデバイスは、ディスプレイである、ことを特徴とする請求項１乃至５の何れか１項に記載の電子機器。
【請求項７】
外部装置に情報を送信する送信手段をさらに備え、
前記送信手段は、前記判定手段が前記所定のデバイスが接続されていないと判定した場合、前記外部装置のディスプレイに所定の情報を表示するための情報を送信する、
ことを特徴とする請求項２乃至５の何れか１項に記載の電子機器。
【請求項８】
前記所定の情報は、前記所定のデバイスが未接続であることを示す情報である、ことを特徴とする請求項７に記載の電子機器。
【請求項９】
前記取得処理は、前記所定のデバイスの接続状態を示す情報を取得する処理である、ことを特徴とする請求項１乃至８の何れか１項に記載の電子機器。
【請求項１０】
前記所定のデバイスは、ディスプレイであって、
前記取得処理は、前記ディスプレイのリフレッシュレート、解像度、製造メーカ、型式、シリアルナンバー、電源管理機能の少なくとも１つを取得する処理である、
ことを特徴とする請求項１乃至９の何れか１項に記載の電子機器。
【請求項１１】
前記起動手段は、前記第２のオフ状態からの起動時に、前記第１のオフ状態からの起動時に取得した前記所定のデバイスの情報を用いて、前記所定のデバイスの動作設定を行う、ことを特徴とする請求項１乃至１０の何れか１項に記載の電子機器。
【請求項１２】
記録媒体に画像を印刷する印刷手段をさらに備える、ことを特徴とする請求項１乃至１１の何れか１項に記載の電子機器。
【請求項１３】
文書を読み取る読取手段をさらに備える、ことを特徴とする請求項１乃至１２の何れか１項に記載の電子機器。
【請求項１４】
所定のデバイスが接続可能な電子機器の制御方法であって、
前記電子機器は、
前記所定のデバイスが非接続であることを示す情報を記憶する記憶手段と、
電源スイッチと、
を備え、
前記電源スイッチの操作により前記電子機器の電力状態を第１のオフ状態又は第２のオフ状態に移行する移行ステップと、
前記第１のオフ状態からの起動時には前記所定のデバイスから前記所定のデバイスの情報を取得する取得処理を少なくとも含む起動処理を行い、前記第２のオフ状態からの起動時には少なくとも前記取得処理を省略した起動処理を行う、起動ステップと、
を含み
前記移行ステップでは、前記記憶手段に前記情報が記憶されている場合、前記電源スイッチの操作により前記電子機器の電力状態を前記第１のオフ状態に移行する、
ことを特徴とする制御方法。
【請求項１５】
前記所定のデバイスが接続されているか否かを判定する判定ステップと、
前記判定ステップにて前記所定のデバイスが接続されていないと判定した場合、前記記憶手段に前記情報を記憶する記憶ステップと、
をさらに含む
ことを特徴とする請求項１４に記載の制御方法。
【請求項１６】
前記判定ステップでは、前記第１のオフ状態からの起動時に、前記所定のデバイスが接続されているか否かを判定する、ことを特徴とする請求項１５に記載の制御方法。
【請求項１７】
前記判定ステップを定期的に実行する、ことを特徴とする請求項１５又は１６に記載の制御方法。
【請求項１８】
前記判定ステップでは、前記所定のデバイスの接続状態の変化があったときに、前記所定のデバイスが接続されているか否かを判定する、ことを特徴とする請求項１５乃至１７の何れか１項に記載の制御方法。
【請求項１９】
前記所定のデバイスは、ディスプレイである、ことを特徴とする請求項１４乃至１８の何れか１項に記載の制御方法。
【請求項２０】
外部装置に情報を送信する送信ステップをさらに含み、
前記送信ステップでは、前記判定ステップにて前記所定のデバイスが接続されていないと判定した場合、前記外部装置のディスプレイに所定の情報を表示するための情報を送信する、
ことを特徴とする請求項１５乃至１８の何れか１項に記載の制御方法。
【請求項２１】
前記所定の情報は、前記所定のデバイスが未接続であることを示す情報である、ことを特徴とする請求項２０に記載の制御方法。
【請求項２２】
前記取得処理は、前記所定のデバイスの接続状態を示す情報を取得する処理である、ことを特徴とする請求項１４乃至２１の何れか１項に記載の制御方法。
【請求項２３】
前記所定のデバイスは、ディスプレイであって、
前記取得処理は、前記ディスプレイのリフレッシュレート、解像度、製造メーカ、型式、シリアルナンバー、電源管理機能の少なくとも１つを取得する処理である、
ことを特徴とする請求項１４乃至２２の何れか１項に記載の制御方法。
【請求項２４】
前記起動ステップでは、前記第２のオフ状態からの起動時に、前記第１のオフ状態からの起動時に取得した前記所定のデバイスの情報を用いて、前記所定のデバイスの動作設定を行う、ことを特徴とする請求項１４乃至２３の何れか１項に記載の制御方法。
【請求項２５】
前記電子機器は、記録媒体に画像を印刷する印刷手段をさらに備える、ことを特徴とする請求項１４乃至２４の何れか１項に記載の制御方法。
【請求項２６】
前記電子機器は、文書を読み取る読取手段をさらに備える、ことを特徴とする請求項１４乃至２４の何れか１項に記載の制御方法。
【手続補正２】
【補正対象書類名】明細書
【補正対象項目名】０００７
【補正方法】変更
【補正の内容】
【０００７】
本発明に係る電子機器は、所定のデバイスが接続可能な電子機器であって、電源スイッチの操作により前記電子機器の電力状態を第１のオフ状態又は第２のオフ状態に移行する移行手段と、前記第１のオフ状態からの起動時には前記所定のデバイスから前記所定のデバイスの情報を取得する取得処理を少なくとも含む起動処理を行い、前記第２のオフ状態からの起動時には少なくとも前記取得処理を省略した起動処理を行う、起動手段と、前記所定のデバイスが非接続であることを示す情報を記憶する記憶手段と、を備え、前記移行手段は、前記記憶手段に前記情報が記憶されている場合、前記電源スイッチの操作により前記電子機器の電力状態を前記第１のオフ状態に移行する、ことを特徴とする。